(57)【要約】【課題】コンパクトな構成でありながら幅広で帯状の吐出を良好に行うことができる湯水混合水栓を提供すること。【解決手段】給湯配管Ｐ１及び給水配管Ｐ２からの湯及び水が、水栓本体１の湯水混合部５及び流量調整部４，７を経た後、該水栓本体１の後方及び上方をこの順に経る扁平水路を通って該水栓本体１の前方において横長の吐出口８から吐出されるように構成する。【選択図】図１
2010180653.tif 000002
【特許請求の範囲】
【請求項１】
給湯配管及び給水配管からの湯及び水が、水栓本体の湯水混合部及び流量調整部を経た後、該水栓本体の後方及び上方をこの順に経る扁平水路を通って該水栓本体の前方において横長の吐出口から吐出されるように構成された湯水混合水栓。
【請求項２】
壁の表側に配置された前記水栓本体に二つの偏心管が組み付けられ、該二つの偏心管は、前記壁の裏側に配管された前記給湯配管及び給水配管に対して前記壁の表側から接続され、
また、前記水栓本体に、前記壁に向けて開口する壁向き開口部及び前記壁に背を向けて開口する逆向き開口部を有し、該逆向き開口部から前記給湯配管又は給水配管に接続可能な位置にまで挿入された前記偏心管を前記壁向き開口部から抜けないように保持する貫通孔が二つ設けられ、前記貫通孔に挿入され前記給湯配管及び給水配管に接続されていない状態の前記偏心管は該偏心管の中心軸回りに回動可能である請求項１に記載の湯水混合水栓。
【発明の詳細な説明】
【技術分野】
【０００１】
この発明は、例えば、横長の吐出口を備え、この吐出口から幅広で帯状（膜状）の吐出を行う湯水混合水栓に関する。
【背景技術】
【０００２】
従来の幅広吐出を行う水栓として、吐出口の上流側に堰を設けることにより、偏った吐出を防止するようにしたものがある（例えば、特許文献１、２参照）。
【先行技術文献】
【特許文献】
【０００３】
【特許文献１】実公昭６２−３５７１７号公報
【特許文献２】実開平３−１２９６８号公報
【発明の概要】
【発明が解決しようとする課題】
【０００４】
しかし、上記の水栓では、偏った吐出の防止をより確実なものにしようとすると、堰を高くする必要があるが、堰を高くする程、吐出管、ひいては水栓全体が大型化するという問題がある。
【０００５】
本発明は上述の実情に鑑みてなされたもので、その目的は、コンパクトな構成でありながら幅広で帯状の吐出を良好に行うことができる湯水混合水栓を提供することにある。
【課題を解決するための手段】
【０００６】
上記目的を達成するために、本発明に係る湯水混合水栓は、給湯配管及び給水配管からの湯及び水が、水栓本体の湯水混合部及び流量調整部を経た後、該水栓本体の後方及び上方をこの順に経る扁平水路を通って該水栓本体の前方において横長の吐出口から吐出されるように構成されている（請求項１）。
【０００７】
上記湯水混合水栓において、壁の表側に配置された前記水栓本体に二つの偏心管が組み付けられ、該二つの偏心管は、前記壁の裏側に配管された前記給湯配管及び給水配管に対して前記壁の表側から接続され、また、前記水栓本体に、前記壁に向けて開口する壁向き開口部及び前記壁に背を向けて開口する逆向き開口部を有し、該逆向き開口部から前記給湯配管又は給水配管に接続可能な位置にまで挿入された前記偏心管を前記壁向き開口部から抜けないように保持する貫通孔が二つ設けられ、前記貫通孔に挿入され前記給湯配管及び給水配管に接続されていない状態の前記偏心管は該偏心管の中心軸回りに回動可能であってもよい（請求項２）。
【発明の効果】
【０００８】
請求項１、２に係る発明では、コンパクトな構成でありながら幅広で帯状の吐出を良好に行うことができる湯水混合水栓が得られる。
【０００９】
すなわち、従来の幅広吐出を行わせる水栓では、この幅広吐出を確実に行わせるために、吐出口の上流側に堰を形成するための部材が別途設けられていたので、吐出口周辺の構造が複雑化したり大型化するという問題があった。
【００１０】
しかし、請求項１に係る発明では、吐出部材が、吐出口の上流側に、水栓本体の後方及び上方をこの順に経て水栓本体の前方に至る水路を形成しており、吐出部材の上流部から最上部までの流路が堰としての役割も同時に果たすため、従来のような堰を形成するための部材を別途設ける必要がなく、従って、それだけ吐出口周辺の構造をシンプルかつ小型化、薄型化することができる。しかも、請求項１に係る発明では、吐出部材の下方の空いた空間を利用して水栓本体を配置する構成となっているので、水栓全体のコンパクト化、省スペース化をも図ることができる。
【００１１】
そして、請求項２に係る発明では、いわゆる壁付型の湯水混合水栓の省スペース化を図るのに好適な湯水混合水栓が得られる。
【００１２】
すなわち、従来の湯水混合水栓は、水栓本体の背面側（壁側）に偏心管が組み付けられるので、それだけ壁面からの迫り出し幅が大きくなっていたが、請求項２に係る発明では、水栓本体を挿通する状態で偏心管が水栓本体に組み付けられるので、水栓本体の壁の表側への迫り出しを最小限に抑えることができ、省スペース化を大いに図ることができる。
【図面の簡単な説明】
【００１３】
【図１】本発明の第１の実施の形態に係る湯水混合水栓の使用状態を概略的に示す説明図である。
【図２】（Ａ）は前記湯水混合水栓の主に正面側の構成を概略的に示す斜視図、（Ｂ）は前記湯水混合水栓の主に背面側の構成を概略的に示す斜視図である。
【図３】図３は前記湯水混合水栓の構成を概略的に示す分解斜視図である。
【図４】（Ａ）は前記湯水混合水栓の構成を概略的に示す部分切断正面図、（Ｂ）は（Ａ）のＢ−Ｂ線断面図である。
【図５】（Ａ）は前記湯水混合水栓の胴部材の構成を概略的に示す縦断面図、（Ｂ）は（Ａ）のＢ−Ｂ線断面図、（Ｃ）は前記胴部材の構成を概略的に示す底面図である。
【図６】（Ａ）及び（Ｂ）は前記湯水混合水栓の連接管の構成を概略的に示す縦断面図及び側面図である。
【図７】（Ａ）及び（Ｂ）は前記湯水混合水栓の固定ねじの構成を概略的に示す部分透視正面図及び底面図である。
【図８】（Ａ）は前記湯水混合水栓の吐出部材の構成を概略的に縦断面図、（Ｂ）は（Ａ）のＸ−Ｘ線断面図、（Ｃ）は（Ａ）のＹ−Ｙ線断面図、（Ｄ）は前記吐出部材の構成を概略的に示す説明図、（Ｅ）は前記吐出部材を斜め後方からみた斜視図、（Ｆ）は前記吐出部材を斜め上方からみた斜視図である。
【図９】本発明の第２の実施の形態に係る湯水混合水栓の使用状態を概略的に示す説明図である。
【図１０】（Ａ）は前記湯水混合水栓の主に正面側の構成を概略的に示す斜視図、（Ｂ）は前記湯水混合水栓の主に背面側の構成を概略的に示す部分切断斜視図である。
【図１１】前記湯水混合水栓の構成を概略的に示す分解斜視図である。
【図１２】前記湯水混合水栓の構成を概略的に示す部分切断正面図である。
【図１３】（Ａ）は図１２のイ−イ線断面図、（Ｂ）は図１２のロ−ロ線階段断面図である。
【図１４】前記湯水混合水栓の要部の構成を概略的に示す部分切断平面図である。
【図１５】（Ａ）〜（Ｃ）は前記湯水混合水栓の胴部材の構成を概略的に示す縦断面図、左側面図及び右側面図、（Ｄ）は（Ｃ）のハ−ハ線階段断面図、（Ｅ）は前記胴部材の構成を概略的に示す底面図である。
【図１６】（Ａ）は図１５（Ａ）のニ−ニ線階段断面図、（Ｂ）は図１５（Ａ）のホ−ホ線断面図、（Ｃ）は（Ａ）のヘ−ヘ線断面図、（Ｄ）は前記胴部材の構成を概略的に示す背面図である。
【図１７】（Ａ）〜（Ｃ）は前記湯水混合水栓の流量調整ユニットの構成を概略的に示す正面図、平面図及び側面図である。
【図１８】（Ａ）は前記湯水混合水栓の吐出部材の構成を概略的に示す部分切断平面図、（Ｂ）は前記吐出部材の構成を概略的に示す縦断面図、（Ｃ）は（Ｂ）のリ−リ線断面図、（Ｄ）は（Ｃ）のヌ−ヌ線断面図である。
【図１９】前記湯水混合水栓の取付け途中の状態の構成を概略的に示す斜視図である。
【図２０】前記湯水混合水栓の構成を概略的に示す背面図である。
【図２１】前記湯水混合水栓の構成を概略的に示す横断面図である。
【図２２】水栓本体から偏心管を分離した状態の前記湯水混合水栓の構成を概略的に示す斜視図である。
【図２３】（Ａ）及び（Ｂ）は偏心管の構成を概略的に示す正面図及び縦断面図である。
【図２４】（Ａ）〜（Ｃ）は取付部材の構成を概略的に示す正面図、横断面図及び側面図である。
【図２５】（Ａ）及び（Ｂ）は取付部材を装着した状態の偏心管の構成を概略的に示す正面図及び横断面図である。
【図２６】二つの接続部を最も離した状態の前記湯水混合水栓の構成を概略的に示す背面図である。
【図２７】二つの接続部を最も近づけた状態の前記湯水混合水栓の構成を概略的に示す背面図である。
【図２８】（Ａ）及び（Ｂ）は前記湯水混合水栓の構成について化粧カバーを取り外した状態及び取り付けた状態をそれぞれ概略的に示す斜視図である。
【発明を実施するための形態】
【００１４】
以下、本発明を実施するための形態について図面を参照しながら説明する。
【００１５】
まず、本発明の第１の実施の形態に係る湯水混合水栓について説明する。この説明において参照する図面について触れると、図１は本発明の第１の実施の形態に係る湯水混合水栓の使用状態を概略的に示す説明図、図２（Ａ）は前記湯水混合水栓の主に正面側の構成を概略的に示す斜視図、図２（Ｂ）は前記湯水混合水栓の主に背面側の構成を概略的に示す斜視図、図３は前記湯水混合水栓の構成を概略的に示す分解斜視図である。また、図４（Ａ）は前記湯水混合水栓の構成を概略的に示す部分切断正面図、図４（Ｂ）は図４（Ａ）のＢ−Ｂ線断面図であり、図４（Ａ）において円状のＡ−Ａ線で囲った部分は、図４（Ｂ）のＡ−Ａ線断面を示している。また、図５（Ａ）は前記湯水混合水栓の胴部材１０の構成を概略的に示す縦断面図、図５（Ｂ）は図５（Ａ）のＢ−Ｂ線断面図、図５（Ｃ）は前記胴部材１０の構成を概略的に示す底面図であり、図５（Ａ）において円状のＡ−Ａ線で囲った部分は、図５（Ｂ）のＡ−Ａ線断面を示している。また、図６（Ａ）及び（Ｂ）は前記湯水混合水栓の連接管の構成を概略的に示す縦断面図及び側面図であり、図７（Ａ）及び（Ｂ）は前記湯水混合水栓の固定ねじの構成を概略的に示す部分透視正面図及び底面図、図８（Ａ）は前記湯水混合水栓の吐出部材２の構成を概略的に縦断面図、図８（Ｂ）は図８（Ａ）のＸ−Ｘ線断面図、図８（Ｃ）は図８（Ａ）のＹ−Ｙ線断面図、図８（Ｄ）は前記吐出部材２の構成を概略的に示す説明図、図８（Ｅ）は前記吐出部材２を斜め後方からみた斜視図、図８（Ｆ）は前記吐出部材２を斜め上方からみた斜視図である。
【００１６】
第１の実施の形態に係る湯水混合水栓（以下、第１の水栓と略記する）は、いわゆるデッキ面やカウンタ面に設置されるタイプの水栓であり、図１に示すように、浴槽Ｂのリム部Ｒの上面（デッキ面）に設置され、浴槽Ｂ内に湯水を供給するように構成されている。そして、第１の水栓は、図２（Ａ）及び（Ｂ）並びに図３に示すように、水栓本体１と、この水栓本体１に装着される吐出部材２とを備えている。
【００１７】
水栓本体１は、図４（Ａ）に示すように、給湯配管Ｐ１からの湯が逆止弁３及び流量調整部４をこの順に経て湯水混合部５に至る一方、給水配管Ｐ２からの水が逆止弁６及び流量調整部７をこの順に経て湯水混合部５に至り、互いに異なる流路１３，１４（後述する）を経て湯水混合部５に至った湯水は、その後、水栓本体１の背面側に導出されるように構成されている。そして、水栓本体１の背面側に導出された湯水は、水栓本体１の後方及び上方をこの順に経る吐出部材２内の扁平水路を通って、水栓本体１の前方において横長の吐出口８から浴槽Ｂ内に向けて吐出される（図１、図４参照）。
【００１８】
以上が第１の水栓の構成の概略であり、より具体的な説明を以下に行う。
【００１９】
水栓本体１は、図５（Ａ）及び（Ｂ）に示すように、中空で左右対称の構造を有する胴部材１０を有している。この胴部材１０は、鋳物（本例では銅合金製）からなり、図５（Ａ）及び（Ｃ）に示すように、底面の左右に接続口１１，１２が形成され、接続口１１に給湯配管Ｐ１（図４（Ａ）参照）が、接続口１２に給水配管Ｐ２（図４（Ａ）参照）が各々接続される。
【００２０】
そして、図５（Ａ）及び（Ｂ）に示すように、胴部材１０内は区画され、接続口１１から胴部材１０の上部中央にある湯水混合部５に続く湯流路１３と、接続口１２から湯水混合部５に続く水流路１４とがそれぞれ形成されている。さらに、図４（Ａ）と図５（Ａ）を対比すれば明らかなように、胴部材１０は、湯流路１３中に逆止弁３及び流量調整部４が、水流路１４中に逆止弁６及び流量調整部７が各々位置するように構成されている。
【００２１】
本例では、図４（Ａ）に示すように、胴部材１０の下部の左右から、逆止弁３，６がそれぞれ挿入固定され、胴部材１０の上部の左右から、流量調整部５，７をなすバルブユニットがそれぞれ挿入固定される。ここで、本例の逆止弁３，６は、流量調節（最大流量を制限するための調節）機能付き逆止弁である。また、本例の流量調整部５，７をなす各バルブユニットは、湯流量調整ハンドル１５及び水流量調整ハンドル１６（図４（Ａ）参照）の回動操作により、湯流路１３、水流路１４を経て湯水混合部５に流入する湯、水の流量を個別に調整することができるように構成されている。
【００２２】
尚、逆止弁３，６及び流量調整部５，７については公知の構成を有するものを採用することができるのであって、これらの構成についてのより詳細な説明はここでは省略する。
【００２３】
一方、図５（Ａ）及び（Ｂ）に示すように、胴部材１０の背面中央部には、胴部材１０の背面から前方に凹入し、前部が湯水混合部５に向けて開口した背面開口部１７が設けられ、この背面開口部１７には、図６（Ａ）及び（Ｂ）に示す金属製（本例では銅合金製）の連接管１８が接続される（図４（Ｂ）参照）。図６（Ａ）に示すように、この連接管１８の先端側は後端側よりも外径が小さく、また、先端側の外周面には雄ねじ１８ａが形成されており、この雄ねじ１８ａは、背面開口部１７に形成された雌ねじ１７ａ（図５（Ｂ）参照）に螺着可能である。すなわち、連接管１８の雄ねじ１８ａを背面開口部１７の雌ねじ１７ａに螺着することにより、背面開口部１７に対して連接管１８が接続される。尚、連接管１８には三つのシール部材（本例では合成ゴム製のＯリング）１８ｂが装着され、このうちの先端側にあるシール部材１８ｂが背面開口部１７及び連接管１８の接続状態におけるシール性の確保に寄与する。
【００２４】
さらに、図６（Ａ）及び（Ｂ）に示すように、連接管１８の後端側の内周壁部分１８ｃは、断面視が非円形状（本例では正六角形状）となっている。これにより、内周壁部分１８ｃに対してこれに係合する適宜の工具（本例では六角レンチ）を挿入し、この工具を回動操作すれば、連接管１８を背面開口部１７に容易に接続することができる。
【００２５】
また、図３及び図５（Ａ）〜（Ｃ）に示すように、胴部材１０の中央下部は下方に開放されている。すなわち、胴部材１０の下面から上向きに凹入した凹入空間部１９が胴部材１０の中央下部に設けられている。さらに、胴部材１０には、図５（Ａ）に示すように、上端が背面開口部１７の内側空間に連通し、下端が凹入空間部１９に連通した斜めに延びる二つのねじ孔２０が左右対称に形成されている。
【００２６】
図５（Ａ）に示すように、各ねじ孔２０の内壁面には雌ねじ２０ａが設けられ、この雌ねじ２０ａに螺着する雄ねじ２１ａ（図７（Ａ）参照）を有する固定ねじ２１が、それぞれねじ孔２０に螺着される（図４（Ａ）参照）。
【００２７】
固定ねじ２１の先端部には、図７（Ａ）及び（Ｂ）に示すように、窪み部２１ｂと、この窪み部２１ｂの周縁から後端側に向かうテーパ面２１ｃとが設けられている。また、固定ねじ２１には、その後端面から先端側に向けて延び断面視非円形状（本例では正六角形状）の内周壁部分を有する凹入部２１ｄが設けられている。これにより、凹入部２１ｄに対してその内周壁部分に係合する適宜の工具（本例では六角レンチ）を凹入空間部１９の下方から挿入し、この工具を回動操作すれば、固定ねじ２１をねじ孔２０に容易に螺着することができる。
【００２８】
また、図５（Ａ）及び（Ｂ）に示すように、胴部材１０の背面の中央下部には、胴部材１０の背面から前方に凹入し、前部の連通口２２ａを介して凹入空間部１９に連通する背面連通孔２２が設けられている。この背面連通孔２２は、図５（Ｂ）に示すように、胴部材１０の前方への凹入量が背面開口部１７よりも小となっている。ところで、上述した二つのねじ孔２０に対して固定ねじ２１を螺着する際に、凹入空間部１９の下方から二つのねじ孔２０に向けて工具を挿入する必要があるが、斜めに延びる二つのねじ孔２０に対して凹入空間部１９の斜め下方から工具を挿入すればよいので、上記工具の挿入を背面連通孔２２の周壁が妨げることはない。
【００２９】
他方、吐出部材２は、金属製（本例ではステンレス製）の部材であり、図８（Ａ）、（Ｄ）〜（Ｆ）に示すように、曲げ板状の外観を呈する吐出管２３を備え、この吐出管２３は、略鉛直方向に延びる基部２４と、この基部２４の上方から基部２４の前方に向かって山なりに延びる山形部２５とを有し、山形部２５の先端側に横長の吐出口８が設けられている。尚、本例では、吐出部材２を構成する金属板の厚みｔ（図８（Ｃ）参照）は２ｍｍ、吐出部材２内の扁平水路の縦方向の幅ｄ（図８（Ｃ）参照）は３ｍｍである。
【００３０】
また、図８（Ａ）、（Ｃ）、（Ｄ）及び（Ｆ）に示すように、基部２４の前面上部に金属製（本例ではステンレス製）で略円筒状の筒部２６が設けられている。尚、この筒部２６は、例えば溶接により基部２４に接合されている。そして、筒部２６の内部と基部２４（吐水管２３）の内部とが連通するように、基部２４の前面において筒部２６が接合される箇所には開口が形成されている。
【００３１】
ここで、図８（Ａ）に示すように、筒部２６の外周面にはこの外周面の周方向に沿って環状のテーパ溝２７が設けられている。
【００３２】
また、図５（Ａ）、（Ｃ）、（Ｄ）及び（Ｆ）に示すように、基部２４の前面下部に金属製（本例ではステンレス製）で略円筒状の雌ねじ部材２８が設けられている。尚、この雌ねじ部材２８は、例えば溶接により基部２４に接合されている。
【００３３】
そして、この雌ねじ部材２８には、図４（Ａ）及び（Ｂ）に示すように、胴部材１０の背面連通孔２２を挿通する挿通ねじ２９が螺着される。この挿通ねじ２９は、背面連通孔２２の連通口２２ａよりも径が大である頭部２９ａを有し、この頭部２９ａには、固定ねじ２１の凹入部２１ｄと同様の、断面視非円形状（本例では正六角形状）の内周壁部分を有する凹入部２９ｂが設けられている。
【００３４】
次に、水栓本体１に吐出部材２を取り付ける方法について説明する。
【００３５】
（１）予め、図３に示すように水栓本体１、吐出部材２はそれぞれ組み立てられているものとする。従って、水栓本体１の胴部材１０に給湯配管Ｐ１，給水配管Ｐ２は既に接続されている。尚、水栓本体１のねじ孔２０に固定ねじ２１は螺着されていない。
【００３６】
（２）まず、水栓本体１の背面開口部１７、背面連通孔２２に、吐出部材２の筒部２６、雌ねじ部材２８を各々挿入する（図３参照）。
【００３７】
これにより、吐出部材２のおおよその位置決めがなされる。このとき、筒部２６は、背面開口部１７（図５（Ｂ）参照）の内側において、水栓本体１の後側に向けて延びる連接管１８に外嵌されることになる（図４（Ｂ）参照）。そして、この外嵌により接続された連接管１８、筒部２６間のシール性は、連接管１８の後端側に設けられた二つのシール部材１８ｂにより良好なものとなる。
【００３８】
（３）続いて、二つの固定ねじ２１を二つのねじ孔２０内に対して各々の下方からそれぞれ螺進させ、各固定ねじ２１の先端部（テーパ面２１ｃ）を筒部２６のテーパ溝２７の溝壁に当接させる（図２及び図３（Ｂ）参照）。
【００３９】
すなわち、二つの固定ねじ２１を螺進させるに伴って、各固定ねじ２１の先端部（テーパ面２１ｃ）がテーパ溝２７の溝壁に当接してからもこの溝壁上を滑り、これに伴って筒部２６が前方に引き寄せられ、やがて水栓本体１の背面と吐出部材２の基部２４の前面との間の隙間がなくなって吐出部材２が完全に位置決めされるとともに、筒部２６ひいては吐出部材２が水栓本体１に対して強固に固定されることになる。
【００４０】
（４）また、挿通ねじ２９を雌ねじ部材２８に対して螺着させる（図４（Ｂ）参照）。
【００４１】
このとき、挿通ねじ２９は背面連通孔２２の挿通口２２ａを挿通し、かつ、その頭部２９ａは挿通口２２ａの周壁に当接した状態となる。従って、上記螺着によって雌ねじ部材２８ひいては吐出部材２の水栓本体１に対する固定は一層強固なものとなる。
【００４２】
尚、この工程（４）を上記工程（３）の前に行ってもよい。
【００４３】
以上で水栓本体１に対する吐出部材２の取付けが完了し、このようにして組み立てられた第１の水栓では、給湯配管Ｐ１，給水配管Ｐ２からの湯，水は、上述のように湯水混合部５内に至った後、この湯水混合部５に連通する連接管１８内を通って吐出部材２内に導出されることになる。
【００４４】
上記構成を有する第１の水栓では、吐出口８からの幅広で帯状（膜状）の吐出を良好に行うことができる。すなわち、従来の幅広吐出を行わせる水栓では、この幅広吐出を確実に行わせるために、吐出口の上流側に堰を形成するための部材が別途設けられていたので、吐出口周辺の構造が複雑化したり大型化するという問題があった。
【００４５】
しかし、第１の水栓では、吐出部材２が、吐出口８の上流側に、筒部２６内から水栓本体１の後方及び上方をこの順に経て水栓本体１の前方に至る水路を形成しており、吐出部材２の基部２４から山形部２５の最上部２５ａまでの流路が堰としての役割も同時に果たすため、従来のような堰を形成するための部材を別途設ける必要がなく、従って、それだけ吐出口８周辺の構造をシンプルかつ小型化、薄型化することができる。しかも、第１の水栓では、山なりとなった吐出部材２の下方の空いた空間を利用して水栓本体１を配置する構成となっているので、水栓全体のコンパクト化、省スペース化をも図ることができる。
【００４６】
また、二つの固定ねじ２１が筒部２６に対して左右対称にかつ強固に当接しているのに加え、雌ねじ部材２８と挿通ねじ２９との螺着による固定をも行っているので、人が吐出口８の左右端部を誤ってあるいは意図的に下方に押圧しても、その押圧力により吐出部材２の取付け姿勢が歪むことはない。
【００４７】
さらに、吐出部材２の筒部２６にテーパ溝２７を設け、このテーパ溝２７の溝壁に固定ねじ２１を当接させることにより吐出部材２を水栓本体１に固定する構成を採用しているので、二つのねじ孔２０を設けるために高精度な加工が要求されず、それだけ第１の水栓は低コストで製造することができる。
【００４８】
尚、第１の水栓は、各部材の材料や形状等の構成要素を適宜変更することができる。
【００４９】
例えば、第１の水栓は、二つの流量調整部４，７を有するいわゆるツーバルブタイプの水栓に限らず、シングルレバー式の水栓であってもよい。
【００５０】
また、第１の水栓は浴槽Ｂに設置されているが、例えば洗面台に設置されていてもよい。
【００５１】
また、第１の水栓では吐出部材２をステンレス製としてあり、材料強度があるので吐出部材２の中間部分が撓むことがない。しかし、吐出部材２を樹脂製としてもよく、この場合、吐出部材２の中間部分が撓むことを防止するために、適宜の箇所にリブを設ければよい。
【００５２】
また、逆止弁３、６は、流量調節機能を有していなくてもよい。
【００５３】
また、第１の水栓ではねじ孔２０（固定ねじ２１）が左右対称に１対設けられているが、例えばいずれか一方のみが設けられていてもよく、３つ以上設けられていてもよい。
【００５４】
次に、本発明の第２の実施の形態に係る湯水混合水栓について説明する。この説明において参照する図面について触れると、図９は本発明の第２の実施の形態に係る湯水混合水栓の使用状態を概略的に示す説明図、図１０（Ａ）は前記湯水混合水栓の主に正面側の構成を概略的に示す斜視図、図１０（Ｂ）は前記湯水混合水栓の主に背面側の構成を概略的に示す部分切断斜視図、図１１は前記湯水混合水栓の構成を概略的に示す分解斜視図、図１２は前記湯水混合水栓の構成を概略的に示す部分切断正面図、図１３（Ａ）は図１２のイ−イ線断面図、図１３（Ｂ）は図１２のロ−ロ線階段断面図、図１４は前記湯水混合水栓の要部の構成を概略的に示す部分切断平面図、図１５（Ａ）〜（Ｃ）は前記湯水混合水栓の胴部材４０の構成を概略的に示す縦断面図、左側面図及び右側面図、図１５（Ｄ）は図１５（Ｃ）のハ−ハ線階段断面図、図１５（Ｅ）は前記胴部材４０の構成を概略的に示す底面図、図１６（Ａ）は図１５（Ａ）のニ−ニ線階段断面図、図１６（Ｂ）は図１５（Ａ）のホ−ホ線断面図、図１６（Ｃ）は図１６（Ａ）のヘ−ヘ線断面図、図１６（Ｄ）は前記胴部材の構成を概略的に示す背面図、図１７（Ａ）〜（Ｃ）は前記湯水混合水栓の流量調整ユニットの構成を概略的に示す正面図、平面図及び側面図である。また、図１８（Ａ）は前記湯水混合水栓の吐出部材の構成を概略的に示す部分切断平面図、図１８（Ｂ）は前記吐出部材の構成を概略的に示す縦断面図、図１８（Ｃ）は図１８（Ｂ）のリ−リ線断面図、図１８（Ｄ）は図１８（Ｃ）のヌ−ヌ線断面図であり、図１８（Ｂ）は図１８（Ｃ）のル−ル線断面図である。
【００５５】
また、図１９は前記湯水混合水栓の取付け途中の状態の構成を概略的に示す斜視図、図２０は前記湯水混合水栓の構成を概略的に示す背面図、図２１は前記湯水混合水栓の構成を概略的に示す横断面図、図２２は水栓本体から偏心管を分離した状態の前記湯水混合水栓の構成を概略的に示す斜視図、図２３（Ａ）及び（Ｂ）は偏心管の構成を概略的に示す正面図及び縦断面図、図２４（Ａ）〜（Ｃ）は取付部材の構成を概略的に示す正面図、横断面図及び側面図、図２５（Ａ）及び（Ｂ）は取付部材を装着した状態の偏心管の構成を概略的に示す正面図及び横断面図、図２６は二つの接続部を最も離した状態の前記湯水混合水栓の構成を概略的に示す背面図、図２７は二つの接続部を最も近づけた状態の前記湯水混合水栓の構成を概略的に示す背面図、図２８（Ａ）及び（Ｂ）は前記湯水混合水栓の構成について化粧カバーを取り外した状態及び取り付けた状態をそれぞれ概略的に示す斜視図である。
【００５６】
尚、これらの図において、上記第１の水栓の説明に用いた図に示した部材と同じ部材には同じ符号を付し、以下ではその説明を省略する。
【００５７】
第２の実施の形態に係る湯水混合水栓（以下、第２の水栓と略記する）は、いわゆる壁面取付型の水栓であり、図９に示すように、浴室の壁Ｗの表面に設置されている。そして、第２の水栓は、図１０（Ａ）及び（Ｂ）、図１１、図１９並びに図２８（Ａ）に示すように、水栓本体３１と、この水栓本体３１を給湯配管Ｐ１及び給水配管Ｐ２（以下、両者を区別せずに供給配管Ｐという場合もある）に取り付けるための二つの偏心管３２と、水栓本体３１に装着される吐出部材（カラン）３３とを備えている。
【００５８】
ここで、給湯配管Ｐ１及び給水配管Ｐ２は浴室の壁Ｗ（図１９参照）の裏側に配管されているのに対し、吐出部材３３が装着された水栓本体３１は壁Ｗの表側に配置される。また、二つの偏心管３２は、給湯配管Ｐ１及び給水配管Ｐ２に対して壁Ｗの表側から接続されると共に、水栓本体３１に対して組み付けられ、これにより、水栓本体３１及び吐出部材３３は、給湯配管Ｐ１及び給水配管Ｐ２に取り付けられ、かつ、壁Ｗの表側に固定されることになる。
【００５９】
そして、第２の水栓では、給水配管Ｐ２に接続された偏心管３２を経て水栓本体３１内に入った給水配管Ｐ２からの水が（図１３（Ａ）参照）、図１６（Ｃ）において一点鎖線で示すように流れ、このとき図１３（Ｂ）に示す逆止弁３４を通過し、その後、前記水は図１２において一点鎖線で示すように湯水混合部３５に至る。一方、給湯配管Ｐ１に接続された偏心管３２を経て水栓本体３１内に入った給湯配管Ｐ１からの湯は、図１６（Ｃ）において破線で示すように流れ、このとき逆止弁３４（図示していないが図１３（Ｂ）に示した逆止弁３４と同一構造を有するので同じ符号を用いる）を通過し、その後、前記湯は図１２において破線で示すように湯水混合部３５に至る。
【００６０】
続いて、湯水混合部３５に至った湯水は、図１２において湯水混合部３５の右側に連なる流量調整部３６に流入し、この流量調整部３６の切り替え操作により、流量調整部３６から図１２及び図１３（Ｂ）に点線で示すように流出して水栓本体３１の背面側に導出されるか（図１３（Ａ）及び図１６（Ｃ）の点線参照）、又は、流量調整部３６から図１２に二点鎖線で示すように流出して水栓本体３１の下面側に導出される。
【００６１】
そして、湯水が水栓本体３１の背面側に導出された場合には、水栓本体３１の後方及び上方をこの順に経る吐出部材３３内の扁平水路を通って、水栓本体３１の前方において横長の吐出口８から吐出される（図１３参照）。また、湯水が水栓本体１の下面側に導出された場合には、水栓本体３１の下面側に接続されたシャワエルボ３７（図１２参照）を経て、このシャワエルボ３７に接続されるシャワホース３８の先端のハンドシャワヘッド３９（図９参照）から吐出される。
【００６２】
以上が第２の水栓の構成の概略であり、より具体的な説明を以下に行う。
【００６３】
水栓本体３１は、図１５及び図１６に示すように、中空の胴部材４０を有している。この胴部材４０は、鋳物（本例では銅合金製）からなり、上記構成部材３３〜３７を避ける位置（壁Ｗの表側に対面する方向から胴部材４０を見たときにこれらの構成部材３３〜３７に隠れたりあるいはこれらの構成部材を隠したりしない位置であり、本例では胴部材４０の下部の左右）に、図１５（Ａ）及び図１６（Ｂ）〜（Ｃ））に示すように、一対（二つ）の貫通孔４１を有している。各貫通孔４１は、壁Ｗに向けて開口する壁向き開口部４２を一端側に有し、壁Ｗに背を向けて開口する逆向き開口部４３を他端側に有している（図１６（Ｂ）参照）。また、各貫通孔４１は、逆向き開口部４３から供給配管Ｐに接続可能な位置にまで挿入された偏心管３２を壁向き開口部４２から抜けないように保持する。
【００６４】
また、図１５（Ｄ），（Ｅ）及び図１６（Ａ），（Ｃ）に示すように、胴部材４０の下面の後部中央には、図１３（Ｂ）に示した逆止弁３４を胴部材４０内に挿入固定するための開口４４が左右に二つ設けられている。ここで、図１３（Ｂ）に示す逆止弁３４は、上記逆止弁３，６と同様に流量調節機能を有し、さらに、環状の網部材であるストレーナ３４ａを有している。
【００６５】
尚、逆止弁３４については公知の構成を有するものを採用することができるのであって、その構成についてのより詳細な説明はここでは省略する。
【００６６】
また、図１２、図１３（Ａ）及び（Ｂ）、図１５（Ａ）及び（Ｄ）に示すように（特に図１２と図１５（Ａ）とを対比すれば明らかなように）、胴部材４０は湯水混合部３５及び流量調整部３６を上部前側に収容するように構成されている。本例では、図１２に示すように、胴部材４０の上部前側の左右から、湯水混合部３５，流量調整部３６をなすユニットがそれぞれ挿入固定される。
【００６７】
ここで、湯水混合部３５は、給湯配管Ｐ１及び給水配管Ｐ２から偏心管３２を介して胴部材４０内に導入された湯及び水を混合し、この混合比率は温度調整ハンドル４５の回動操作によって変更されるように構成されたユニットである。また、流量調整部３６は、湯水混合部３５からの湯水を吐出部材３３又はシャワエルボ３７へと導出し、この導出先及び導出流量は流量調整ハンドル４６の回動操作によって変更されるように構成されたユニットである。
【００６８】
尚、湯水混合部３５を構成するユニットとしては、公知の構成を有するものを採用することができるのであって、上記ユニットのより詳細な説明はここでは省略する。
【００６９】
また、流量調整部３６を構成するユニットは、図１７（Ａ）〜（Ｃ）に示すように、略円筒状のハウジング４７（図１２も参照）と、このハウジング４７内に回動可能に設けられたシリンダ４８とを備え、シリンダ４８は流量調整ハンドル４６（図１２参照）の回動操作に伴って回動するように構成されたものである。そして、流量調整ハンドル４６の操作によりシリンダ４８が回動してハウジング４７のカラン用開口４７ａにシリンダ４８のカラン用開口（図示していない）が連通すると（図１２にはこの状態を示している）、湯水混合部３５からシリンダ４８内に導入された湯水は流量調整部３６から図１２に点線で示すように流出し、この流出流量はカラン用開口４７ａとシリンダ４８のカラン用開口の連通度合いによって増減する。また、シリンダ４８が回動してハウジング４７のシャワ用開口４７ｂにシリンダ４８のシャワ用開口４８ｂが連通すると、湯水混合部３５からシリンダ４８内に導入された湯水は流量調整部３６から図１２に二点鎖線で示すように流出し、この流出流量はシャワ用開口４７ｂ，４８ｂの連通度合いによって増減する。さらに、ハウジング４７のカラン用開口４７ａにシリンダ４８のカラン用開口が連通せず、かつ、ハウジング４７のシャワ用開口４７ｂにシリンダ４８のシャワ用開口４８ｂが連通しないときには、吐出口８、ハンドシャワヘッド３９のいずれからも湯水の吐出が行われない止水状態となる。
【００７０】
そして、流量調整部３６を構成するユニットとしても、公知の構成を有するものを採用することができるのであって、上記ユニットのより詳細な説明はここでは省略する。
【００７１】
また、図１５（Ａ）及び（Ｅ）に示すように（特に図１２と図１５（Ａ）とを対比すれば明らかなように）、胴部材４０の下部前側には、シャワエルボ３７を接続するための接続口４９が設けられている。
【００７２】
また、図１５（Ａ）、図１６（Ｂ）〜（Ｄ）に示すように、胴部材４０の背面の左側（正面からみた場合には右側）には、胴部材４０の背面から前方に凹入し、前部が流量調整部３６に連通する流路５０に向けて開口した背面開口部１７が設けられ、この背面開口部１７には、図１３（Ａ）及び図１４に示すように、連接管１８（図６参照）が接続される。すなわち、連接管１８の先端側の外周面に形成された雄ねじ１８ａが、背面開口部１７に形成された雌ねじ１７ａ（図１５（Ｄ）及び図１６（Ｂ）参照）に螺着される。
【００７３】
また、図１１、図１５（Ｄ）に示すように、胴部材４０の背面の右側（正面からみた場合には左側）には、胴部材４０の背面から前方に凹入した凹入空間部５１が設けられている。
【００７４】
さらに、胴部材１０の左右側面には、図１１、図１４、図１５（Ｂ）〜（Ｄ）に示すように、先端が背面開口部１７の内側空間、凹入空間部５１にそれぞれ連通するねじ孔２０が形成されている。そして、図１５（Ｄ）に示すように、各ねじ孔２０の内壁面には雌ねじ２０ａが設けられ、この雌ねじ２０ａに螺着する雄ねじ２１ａ（図１１参照）を有する固定ねじ２１が、各ねじ孔２０に螺着される（図１４参照）。
【００７５】
つまり、胴部材４０は、その内部が適宜に区画され、給湯配管Ｐ１，給水配管Ｐ２からの湯水が、それぞれ逆止弁３４を経て湯水混合部３５に至り、その後、流量調整部３６から連接管１８を経て吐出部材３３内へと導出されるか、又は、流量調整部３６からシャワエルボ３７へと導出されるように構成されている。
【００７６】
他方、吐出部材３３は、図１８（Ａ）〜（Ｄ）に示すように、第１の水栓の吐出部材２と構成が一部共通している。すなわち、第１の水栓の吐出部材２は、図８（Ａ）〜（Ｆ）に示すように、筒部２６と雌ねじ部材２８とを一つずつ有していたが、本例の吐出部材３３は、筒部２６を基部２４の左右に一つずつ有し、また、雌ねじ部材２８を有さず、さらに、吐出部材２には設けられていなかった二つの偏心管３２を挿通させるための挿通穴５２を基部２４の左右に有している点で吐出部材２と異なる。
【００７７】
また、左右の筒部２６の一方（左側の筒部２６）は、図１４、図１８（Ａ）及び（Ｂ）に示すように、栓部材２６ａによって閉塞されている。尚、栓部材２６ａの外周面には、シール部材としてのＯリング２６ｂが二つ装着されている。
【００７８】
そして、水栓本体３１に吐出部材３２を取り付けるには、水栓本体１の背面開口部１７、凹入空間部５１に、吐出部材３２の二つの筒部２６を各々挿入し（図１１参照）、二つの固定ねじ２１を二つのねじ孔２０内に対して各々の側方からそれぞれ螺進させ、各固定ねじ２１の先端部（テーパ面２１ｃ）を筒部２６のテーパ溝２７の溝壁に当接させればよい（図１４参照）。
【００７９】
ここで、二つの固定ねじ２１を螺進させるに伴って、各固定ねじ２１の先端部（テーパ面２１ｃ）がテーパ溝２７の溝壁に当接してからもこの溝壁上を滑り、これに伴って二つの筒部２６が前方に引き寄せられ、やがて水栓本体３１の背面と吐出部材３３の基部２４の前面との間の隙間がなくなって吐出部材３３が完全に位置決めされるとともに、二つの筒部２６ひいては吐出部材３３が水栓本体３１に対して強固に固定されることになる。
【００８０】
次に、偏心管３２の構成について説明する。偏心管３２は、図２１、図２２、図２３、図２５（Ａ）及び（Ｂ）に示すように、略円柱状で軸方向に自身を貫通する偏心穴５３を有する偏心管本体５４と、略円柱状で偏心穴５３を挿通し先端に供給配管Ｐに接続（螺着）される接続部５５を有する接続具５６と、接続具５６の後端部に設けられた雄ねじ部５７に対して螺着され偏心管本体５４の後端に当接する固定ナット５８とを備えている。
【００８１】
偏心管本体５４は、例えば銅合金等の金属からなる部材であり、偏心管３２の中心軸（これは偏心管本体５４自体の中心軸でもある）回りに回動可能となるように貫通孔４１の孔壁によって保持される。
【００８２】
また、図２３（Ｂ）に示すように、偏心管本体５４は、偏心穴５３を偏心管本体５４の外周面側へと連通させるための外側連通部５９を有している。ここで、本例の外側連通部５９は、偏心管本体５４の外周面中央部に設けられた環状溝５９ａと、偏心穴５３を環状溝５９ａに繋げる複数（本例では６個）の孔５９ｂとによって構成され、複数の孔５９ｂは偏心管本体５４の周方向に等間隔に設けられている。
【００８３】
そして、図２３（Ｂ）に示すように、偏心管本体５４の外周面において環状溝５９ａを挟む位置に設けられた二つの環状凹入部６０，６０にはそれぞれシール部材６１（本例ではゴム製のＯリング）が装着されている。
【００８４】
接続具５６は、例えば銅合金等の金属からなる部材であり、接続具５６の中心軸回りに回動可能となるように偏心穴５３の孔壁によって保持される。
【００８５】
また、接続具５６は、図２３（Ｂ）に示すように、接続具５６の先端面から後端側に向かって延びる空洞部６２と、この空洞部６２を接続具５６の外周面側へと連通させる内側連通部６３とを有している。ここで、本例の内側連通部６３は、接続具５６の外周面中央部に設けられた環状溝６３ａと、空洞部６２を環状溝６３ａに繋げる複数（本例では３個）の孔６３ｂによって構成され、これら複数の孔６３ｂは接続具５６の周方向に等間隔に設けられている。
【００８６】
そして、図２３（Ｂ）に示すように、接続具５６の外周面において環状溝６３ａを挟む位置に設けられた二つの環状凹入部６４，６４にはそれぞれシール部材６５（本例ではゴム製のＯリング）が装着されている。
【００８７】
また、接続具５６には、図２３（Ａ）及び（Ｂ）に示すように、接続具５６の後端面から先端側に向かって延び断面視が非円形状（本例では正六角形状）の内周壁部分６６ａを有する凹入部６６が設けられている。
【００８８】
固定ナット５８は、例えば銅合金等の金属からなる部材であり、図２３（Ｂ）に示すように、例えばりん青銅からなり雄ねじ部５７に装着される割リング６７によって抜け止めされている。
【００８９】
また、偏心管本体５４の後端部には、図２４（Ａ）〜（Ｃ）に示す構造を有する取付部材６８が図２５（Ａ）及び（Ｂ）に示すように装着（外嵌）される。ここで、取付部材６８は、一端側から順に、雄ねじ部６９と、フランジ部７０と、非円形状（本例では正六角形状）の頭部７１とを有するナット状の部材である。そして、図２１に示すように、雄ねじ部６９は貫通孔４１の孔壁に設けられた雌ねじ部７２に螺着し、本例では、螺着状態の雄ねじ部６９と雌ねじ部７２とは接着剤によって固着される。また、偏心管本体５４において取付部材６８が装着される被装着部分７３は取付部材６８の内周面と同じく断面視円形状をしており、かつ、被装着部分７３と取付部材６８の内周面との間には若干（本例では０．５ｍｍ）の遊びが設けられている。さらに、取付部材６８の先端は偏心管本体５４の段部７４に当接するように構成されている。従って、貫通孔４１の孔壁に固着された取付部材６８によって、貫通孔４１に挿入された状態の偏心管本体５４は、偏心管３２の軸回りに回動可能に、かつ、逆向き開口部４３から抜けないように保持される。
【００９０】
次に、湯水混合水栓の取付方法について述べる。
【００９１】
（１）まず、図２３に示す偏心管３２を組み立てる。
【００９２】
すなわち、偏心管本体５４の各環状凹入部６０にシール部材６１を装着すると共に、接続具５６の各環状凹入部６４にシール部材６５を装着し、図２３において偏心穴５３の下側から接続具５６を上向きに挿入する。このとき、接続具５６の外周面には、偏心穴５３の一端（図２３では上端）側に設けられた小径部分５３ａの内径よりも大きい外径部分５６ａを突設してあるので、接続具５６が偏心穴５３の上側から完全に抜けきってしまうことは、両者５３ａ，５６ａの係合により防止される。
【００９３】
（２）その後、偏心穴５４の上方に突出した接続具５６の雄ねじ部５７に、割リング６７を装着するとともに、固定ナット５８を螺着する。
【００９４】
（３）続いて、図２３に示す偏心管３２に取付部材６８を装着して、図２２並びに図２５（Ａ）及び（Ｂ）に示す状態にした後、この偏心管３２を逆向き開口部４３から貫通孔４１に挿入し、取付部材６８の雄ねじ部６９を貫通孔４１の雌ねじ部７２に螺着するとともに、両者６９，７２を接着剤により固着する。すなわち、予め接着剤を雄ねじ部６９に塗布しておく。
【００９５】
これにより、偏心管本体５４は、取付部材６８によって偏心管３２の軸回りに３６０°回動可能に、かつ、逆向き開口部４３側から抜けないように保持される。また、図２１に示すように、偏心管本体５４の外周面には、貫通孔４１の先端（図２１では下端）側に設けられた小径部分４１ａの内径よりも大きい外径部分５４ａを突設してあるので、偏心管本体５４が壁向き開口部４２側から完全に抜けきってしまうことは、両者４１ａ，５４ａの係合により防止される。
【００９６】
同じく、接続具５６は、偏心管本体５４によって接続具５６の軸回りに回動可能に、かつ、逆向き開口部４３側から抜けないように保持される。また、図２１に示すように、接続具５６の雄ねじ部５７には偏心管本体５４の後端に当接する固定ナット５８が螺着されているので、接続具５６が壁向き開口部４２側から完全に抜けきってしまうことは、偏心管本体５４と固定ナット５８との係合により防止される。
【００９７】
（４）次いで、各貫通孔４１に対して逆向き開口部４３から挿入された各偏心管３２を偏心管３２の中心軸回りに回動操作し、給湯配管Ｐ１及び給水配管Ｐ２に対する二つの偏心管３２，３２の先端に設けられた二つの接続部５５，５５の接続が可能となるように位置合わせを行い、給湯配管Ｐ１及び給水配管Ｐ２に対して二つの接続部５５，５５を接続（螺着）する。本例では、接続部５５は雄ねじになっており、供給配管Ｐの先端部は接続部５５が螺着される雌ねじになっている。
【００９８】
すなわち、貫通孔４１に挿入され供給配管Ｐに接続されていない状態の偏心管３２は偏心管３２の中心軸回りに回動可能である。そして、各偏心管３２を偏心管３２の中心軸回りに回動操作することにより、両接続部５５，５５間の距離を変更することができ、両接続部５５，５５間の距離は、図２６に示す状態では最大となり、図２７に示す状態では最小となる。尚、本例では、図２０に示すようにその中間の距離となる状態に位置合わせされている。
【００９９】
また、上記位置合わせ後における供給配管Ｐに対する接続部５５の螺着は、内周壁部分６６ａに係合する図外の工具（本例では六角レンチ）を凹入部６６に挿入した状態でこの工具を回動操作することにより行われる。そして、供給配管Ｐに接続部５５を螺着する際に、水漏れを確実に防止するために、例えば接続部５５にシールテープを巻く等の処理を適宜に施してもよい。
【０１００】
（５）そして、接続具５６の後端部に設けられた雄ねじ部５７に対して螺着されている固定ナット５８を回動操作し、固定ナット５８を偏心管本体５４の後端に当接させる。これにより、水栓本体３１に対する偏心管３２，３２の組付けが完了する（図２８（Ａ）参照）。
【０１０１】
（６）最後に、図２８（Ｂ）に示すように、水栓本体３１に着脱自在の化粧カバー７５を装着し、偏心管３２，３２が化粧カバー７５によって覆われた状態とする。これにより、湯水混合水栓の取付けが完了する。
【０１０２】
上記の工程（１）〜（６）を経て取り付けられた湯水混合水栓においては、図２５（Ｂ）に示すように、偏心管本体５４の外側連通部５９と接続具５６の内側連通部６３とが互いに連通する状態となる。従って、給湯配管Ｐ１及び給水配管Ｐ２から偏心管３２，３２内に入った湯及び水は、それぞれ空洞部６２、内側連通部６３、外側連通部５９をこの順に経て各偏心管３２の外側に向けて流出し、これにより水栓本体３１内に至る。
【０１０３】
そして、給湯配管Ｐ１から水栓本体３１内に至った湯は、図１６（Ｃ）に破線で示すように、水栓本体３１の後側左下部から後側中央下部に向けて流れ、図１６（Ｃ）の左側の開口４４から胴部材４０内に挿入固定されている逆止弁３４（図１３（Ｂ）参照）内にストレーナ３４ａから流入し、逆止弁３４の上方に導出される。次いで、図１６（Ｃ）に破線で示すように、水栓本体３１の後側左上部に向けて流れた後、図１５（Ｄ）に破線で示すように前方（水栓本体３１の前側左上部）に向かい、図１２に示す湯水混合部３５の外側に設けられた環状空間３５ａから湯水混合部３５内に至る。すなわち、湯水混合部３５は、水栓本体３１の前側左上部に設けられている。
【０１０４】
一方、給水配管Ｐ２から水栓本体３１内に至った水は、図１６（Ｃ）に一点鎖線で示すように、水栓本体３１の後側右下部から後側中央下部に向けて流れ、図１６（Ｃ）の右側の開口４４から胴部材４０内に挿入固定されている逆止弁３４（図１３（Ｂ）参照）内にストレーナ３４ａから流入し、逆止弁３４の上方に導出される。次いで、図１６（Ｃ）に一点鎖線で示すように、水栓本体３１の後側左上部に向けて流れた後、前方（水栓本体３１の前側左上部）に向かい、図１２及び図１５（Ｄ）に一点鎖線で示すように湯水混合部３５の上側から湯水混合部３５内に至る。
【０１０５】
その後、湯及び水は湯水混合部３５内で適宜に混合された後、水栓本体３１の前側中央上部に設けられた流量調整部３６に至る。
【０１０６】
そして、流量調整部３６がシャワ側から吐水を行うように切り替え操作されている状態では、湯水は流量調整部３６のシャワ用開口４７ｂ（図１７（Ａ）〜（Ｃ）参照）からその外周側に向けて流出した後、図１２に二点鎖線で示すように、水栓本体３１の前側中央上部から前側中央下部に向けて流れ、シャワエルボ３７、シャワホース３８を経てハンドシャワヘッド３９（図９参照）から吐出される。
【０１０７】
逆に、流量調整部３６が吐出部材（カラン）３３側から吐水を行うように切り替え操作されている状態では、湯水は流量調整部３６のカラン用開口４７ａ（図１７（Ａ）〜（Ｃ）参照）からその外周側に向けて流出した後、図１２、図１３（Ａ）、図１５（Ｄ）、図１６（Ｃ）に点線で示すように（図１３（Ｂ）、図１６（Ａ）も参照）、水栓本体３１の前側中央上部から後側左上部に向けて流れ、連接管１８、吐出部材３３を経て吐出口８から吐出される。
【０１０８】
そして、第２の水栓では、従来の湯水混合水栓とは異なり、水栓本体３１の背面側（壁Ｗ側）に偏心管３２，３２が組み付けられるのではなく、水栓本体３１を挿通する状態で偏心管３２，３２が組み付けられるので、水栓本体３１の壁Ｗの表側への迫り出しを最小限に抑えることができ、省スペース化を図ることができる。
【０１０９】
しかも、第２の水栓では、水栓本体３１の内部を巧みに区画してあるので、水栓本体３１さらには水栓全体のコンパクト化を図ることができる。すなわち、水栓本体３１の下部に組み付けられた偏心管３２，３２から水栓本体３１の前側上部に組み込まれた湯水混合部３５、流量調整部３６に続く湯水の流路と、流量調整部３６から水栓本体３１の後面に接続された吐出部材３３へと続く湯水の流路との両方を、水栓本体３１の後側上部内を区画して設けてあり、これにより、水栓本体３１の大型化を回避している。
【０１１０】
また、第２の水栓の取付方法では、例えば上記の工程（１）〜（３）を工場等で予め行っておけば、施工現場では工程（４）の位置合わせから開始することができるので、取付施工性を格段に向上させることができる。
【０１１１】
さらに、上記第１の水栓が奏する効果を、第２の水栓によっても奏することができる。
【０１１２】
尚、第２の水栓も、第１の水栓と同じく、各部材の材料や形状等の構成要素を適宜変更することができる。
【０１１３】
例えば、第２の水栓では、壁Ｗを浴室の壁としてあるが、壁Ｗはこのように部屋（室）を仕切るように設けられた略鉛直方向に延びる壁に限られず、例えば、化粧ボックスやハウジングをなすような壁であってもよく、洗面台上面をなす壁のように略水平方向に延びる壁等であってもよい。
【０１１４】
また、水栓本体３１は上記の構成を有するものに限られず、種々の構成を有する水栓本体３１を採用することができる。さらに、貫通孔４１，４１を設ける位置は、胴部材４０の下部に限らず、適宜に設定することができる。
【０１１５】
また、接続部５５を雄ねじとし、供給配管Ｐの先端部を雌ねじとする構成に代えて、接続部５５を雌ねじとし、供給配管Ｐの先端部を雄ねじとする構成を採用してもよい。
【０１１６】
また、固定ナット５８を用いなくてもよい。
【０１１７】
また、外側連通部５９を構成する孔５９ａ及び内側連通部６３を構成する孔６３ａは、上記の構成に限らず、その数や配置は適宜に変更することができる。
【０１１８】
また、取付部材６８を用いるに際して、雄ねじ部６９を貫通孔４１の雌ねじ部７２に接着せずに螺着するのみとしてもよく、さらには、取付部材６８を用いなくてもよい。しかし、この取付部材６８または固定ナット５８の少なくとも何れか一方は用いた方が施工性や安全性の点で好適であり、両方用いた方が施工性及び安全性の点でより好適となることはいうまでもない。
【０１１９】
また、内周壁部分６６ａは正六角形状に限らず、例えば楕円形状や他の正多角形状等としてもよい。この場合、上記工程（４）において用いる工具としては、内周壁部分６６ａに係合するものを用いればよい。
【０１２０】
また、接続具５６に凹入部６６を設け、上記工程（４）において、凹入部６６に適宜の工具を挿入して接続具５６の回動操作を行う構成に限らず、例えば凹入部６６に代えて非円形状の凸部を設け、この凸部に係合する適宜の工具を用いて工程（４）における接続具５６の回動操作を行うようにしてもよい。
【０１２１】
また、上記工程（２）を工程（３）の後に行ってもよい。
【０１２２】
また、図１４、図１８（Ａ）及び（Ｂ）には、栓部材２６ａによって閉塞された左側の筒部２６を示してあるが、この筒部２６を開口しないように成形して栓部材２６ａを省くようにしてもよい。
【符号の説明】
【０１２３】
１    水栓本体
２    吐出部材
４    流量調整部
５    湯水混合部
７    流量調整部
８    吐出口
Ｐ１    給湯配管
Ｐ２    給水配管
【図１】
2010180653.tif 000003
【図２】
2010180653.tif 000004
【図３】
2010180653.tif 000005
【図４】
2010180653.tif 000006
【図５】
2010180653.tif 000007
【図６】
2010180653.tif 000008
【図７】
2010180653.tif 000009
【図８】
2010180653.tif 000010
【図９】
2010180653.tif 000011
【図１０】
2010180653.tif 000012
【図１１】
2010180653.tif 000013
【図１２】
2010180653.tif 000014
【図１３】
2010180653.tif 000015
【図１４】
2010180653.tif 000016
【図１５】
2010180653.tif 000017
【図１６】
2010180653.tif 000018
【図１７】
2010180653.tif 000019
【図１８】
2010180653.tif 000020
【図１９】
2010180653.tif 000021
【図２０】
2010180653.tif 000022
【図２１】
2010180653.tif 000023
【図２２】
2010180653.tif 000024
【図２３】
2010180653.tif 000025
【図２４】
2010180653.tif 000026
【図２５】
2010180653.tif 000027
【図２６】
2010180653.tif 000028
【図２７】
2010180653.tif 000029
【図２８】
2010180653.tif 000030